(57)【特許請求の範囲】
【請求項１】
ウォータージェットポンプで加圧・加速された水を後方の噴射口から噴射しその反動によって推進し、操舵したとき、その操舵をステアリング位置検知センサーによって検知するよう構成された小型滑走艇において、
上記ステアリング位置検知センサーが、上記操舵をおこなう操舵用のハンドルのサブアッセンブリユニットの構成要素の１つとして、小型滑走艇に取着する前に予めサブアッセンブリされ、
かかるサブアッセンブリされた上記サブアッセンブリユニットが、ユニットとして、小型滑走艇側に組付けられることを特徴とする小型滑走艇。
【請求項２】
前記ハンドルのサブアッセンブリユニットが、回転軸と、該回転軸を小型滑走艇に取着する前に予め定められた相対的位置関係に回転自在に保持することができるベース部材とをさらに有するとともに、
上記ステアリング位置検知センサーが、
回転軸側に該回転軸と一体に回転するように固着されている永久磁石と、
上記ベース部材側に、上記予め定められた相対的位置関係に回転軸を保持した状態において、上記永久磁石に空間を隔てて対峙し、該永久磁石が近接するとスイッチがＯＮになるよう固着された近接センサーとを有することを特徴とする請求項１記載の小型滑走艇。
【請求項３】
前記ベース部材が前記回転軸を回転自在に保持するための貫通穴を有するとともに、小型滑走艇に取着された状態において裏面となる側に前記近接センサーが固着されているとともに、前記回転軸の上記貫通穴の下方となる部位に、該回転軸と一体に回転する取付部が形成され、この取付部に前記永久磁石が上記近接センサーに近接するよう固着されていることを特徴とする請求項２記載の小型滑走艇。
【請求項４】
小型滑走艇に取着された状態において前記回転軸の前記貫通穴より下方の部位が、上記ベース部材の貫通穴に略等しい径となり、その上端側が該貫通穴より太径になった段付き形状を備えるとともに、該ベース部材の貫通穴に略等しい径の部分におねじ部を有し、さらにこのおねじ部には、別体になったフランジ部材が螺着され、該フランジ部材が前記回転軸と一体に回転する取付部を構成していることを特徴とする請求項３記載の小型滑走艇。
【請求項５】
前記ベース部が金属材料で構成されるとともに、該ベース部の周囲に、小型滑走艇のデッキ側に取着するための取着穴が形成されていることを特徴とする請求項１〜４のいずれか１の項に記載の小型滑走艇。
【請求項６】
ウォータージェットポンプで加圧・加速された水を後方の噴射口から噴射しその反動によって推進し、操舵したとき、そのステアリングの操舵をステアリング位置検知センサーによって検知するよう構成された小型滑走艇において、
上記ステアリング位置検知センサーが、操舵用ケーブルのサブアッセンブリユニットの構成要素として、該ケーブルにサブアッセンブリされていることを特徴とする小型滑走艇。
【請求項７】
前記操舵用ケーブルのロッド側に永久磁石を固着するとともに、操舵用ケーブルのケーシング側の、上記永久磁石の行程領域部分に、該永久磁石が近接するとスイッチがＯＮになる近接センサーを固着することによって、前記ステアリング位置検知センサーが構成されていることを特徴とする請求項６記載の小型滑走艇。
【請求項８】
前記永久磁石が、ドーナツ状の形態をしており、ドーナツ状の中央の貫通穴に、前記操舵用ケーブルのロッドが貫通するよう該ロッド側に固着されていることを特徴とする請求項７記載の小型滑走艇。
【発明の詳細な説明】
【０００１】
【発明の属する技術分野】
本発明は、水流を後方に噴出してその反動で水上を航行する小型滑走艇（ Personal Watercraft（パーソナルウォータークラフト）; ＰＷＣとも呼ばれる) 等のジェット推進型の滑走艇に関し、特にステアリングの操作を検知するステアリング位置検知センサーの取着構造を具備した小型滑走艇に関する。
【０００２】
【従来の技術および発明が解決しようとする課題】
所謂小型滑走艇は、レジャー用，スポーツ用としてあるいはレスキュー用として、近年多用されている。この小型滑走艇では、一般的に艇の底面に設けられた吸水口から吸い込んだ水を、ウォータージェットポンプで加圧・加速して噴射口から後方へ噴射することによって船体を推進させる。
【０００３】
そして、この小型滑走艇の場合、上記ウォータージェットポンプの噴射口の後方に配置したステアリングノズルを左右に揺動させることによって、後方への水の噴射方向を左右に変更することによって、艇を右側あるいは左側に操舵する。
【０００４】
また、後進させる場合には、上記ステアリングノズルの後方に昇降可能に配置したリバース用のデフレクターを降下させて、ステアリングノズルから後方に向けて噴射した水流の向きを前方に変更させて、その反動で後進させるよう構成されている。
【０００５】
ところで、このような構成の小型滑走艇では、前進の場合および後進の場合にも、スロットルを全閉近くまで閉じてウォータージェットポンプからの水の噴射量が減少すると、艇を転向させるために利用できる推力（操舵のために利用できる推力）も同時に減少し、スロットルを再び開くまでは、艇を操舵する能力が減少する。
【０００６】
このような現況に鑑みて、本出願人は、スロットルのＯＦＦ操作とステアリングの所定角度以上の操作等を検出して、一時的にエンジン回転数を上昇させて、スロットルのＯＦＦ操作によるウォータージェットポンプからの水の噴射量の減少があっても、操舵機能を維持できるようなジェット推進型滑走艇を提供している（特願２０００−１７３２３２号）。
【０００７】
本発明は、このような小型滑走艇において、ステアリング位置検知センサーが所望の性能を奏するよう容易に且つ効率的に組立られるステアリング位置検知センサーの組立構造を備えた、小型滑走艇を提供することを目的とする。
【０００８】
【課題を解決するための手段】
本発明は、上記課題を、以下のような構成からなるジェット推進型滑走艇によって解決することができる。即ち、
本第１の発明にかかる小型滑走艇は、ウォータージェットポンプで加圧・加速された水を後方の噴射口から噴射しその反動によって推進し、操舵したとき、そのステアリングの操舵をステアリング位置検知センサーによって検知するよう構成された小型滑走艇において、
上記ステアリング位置検知センサーが、ハンドルのサブアッセンブリユニットの構成要素として、該ユニットに予めサブアッセンブリされていることを特徴とする。
【０００９】
しかして、このよう構成された小型滑走艇によれば、ハンドルのサブアッセンブリユニットにステアリング位置検知センサーが予めサブアンセンブリされるため、艇に取着される前に、机上で組立治具等を用いて、簡単に正確に位置決めをして、容易に且つ効率的に組み立てることができる。そして、ハンドルのサブアッセンブリユニットとして艇側に組付完了した後に、電気的な結線等をおこなえばよい。特に、ステアリング位置検知センサー等のように二つの要素（永久磁石と近接スイッチ）が厳密に相対的位置関係を保つことによって始めてスイッチ動作がなされるものについて、机上での治具を用いた組立がおこなえることから、適正に二つの要素の相対的位置関係を容易に決定できる。
【００１０】
また、上記小型滑走艇において、上記ハンドルのサブアッセンブリユニットが、回転軸と、該回転軸を小型滑走艇に取着する前に予め定められた相対的位置関係に回転自在に保持することができるベース部材とを有するとともに、
上記ステアリング位置検知センサーが、
回転軸側に該回転軸と一体に回転するように固着されている永久磁石と、
上記ベース部材側に、上記予め定められた相対的位置関係に回転軸を保持した状態において、上記永久磁石に空間を隔てて対峙し、該永久磁石が近接するとスイッチがＯＮになるよう固着された近接センサーとを有するような構成であると、好ましい実施形態となる。
【００１１】
また、上記小型滑走艇において、上記ベース部材が前記回転軸を回転自在に保持するための貫通穴を有するとともに、小型滑走艇に取着された状態において裏面となる側に前記近接センサーが固着されているとともに、前記回転軸の上記貫通穴の下方となる部位に、該回転軸と一体に回転する取付部が形成され、この取付部に前記永久磁石が上記近接センサーに近接するよう固着されていると、防水面および耐候性の点で、好ましい実施形態となる。
【００１２】
さらに、上記小型滑走艇において、小型滑走艇に取着された状態において上記回転軸の前記貫通穴より下方の部位が、上記ベース部材の貫通穴に略等しい径となり、その上端側が該貫通穴より太径になった段付き形状を備えるとともに、該ベース部材の貫通穴に略等しい径の部分におねじ部を有し、さらにこのおねじ部には、別体になったフランジ部材が螺着され、該フランジ部材が前記回転軸と一体に回転する取付部を構成していると、防水性能の点で好ましく、また、ベース部材に対して回転軸を確実に且つ強固に回転自在に取着できる構成となる。
【００１３】
また、上記小型滑走艇において、上記ベース部が金属材料で構成されるとともに、該ベース部の周囲に、小型滑走艇のデッキ側に取着するための取着穴が形成されていると、取り付けがデッキの外側から簡単に行える点で、またベース部をデッキ側に強固に取着できる点で、好ましい実施形態となる。
【００１４】
また、本第２の発明にかかる小型滑走艇は、ウォータージェットポンプで加圧・加速された水を後方の噴射口から噴射しその反動によって推進し、操舵したとき、そのステアリングの操舵をステアリング位置検知センサーによって検知するよう構成された小型滑走艇において、
上記ステアリング位置検知センサーが、操舵用ケーブルのサブアッセンブリユニットの構成要素として、該ケーブルにサブアッセンブリされていることを特徴とする。
【００１５】
しかして、このよう構成された小型滑走艇によれば、ケーブルと一体にステアリング位置検知センサーがサブアンセンブリされるため、艇に取着される前に、組立治具等を用いて、簡単に正確に位置決めをして、容易に且つ効率的に組み立てることができる。そして、ケーブルのサブアッセンブリユニットとして艇側に組付完了した後に、電気的な結線等をおこなえばよい。特に、ステアリング位置検知センサー等のように二つの要素（永久磁石と近接スイッチ）が厳密に相対的位置関係を保つことによって始めてスイッチ動作がなされるものについて、治具を用いた組立がおこなえることから、正確に二つの要素の相対的位置関係を容易に決定できる。
【００１６】
また、上記小型滑走艇において、上記操舵用ケーブルのロッド側に永久磁石を固着するとともに、操舵用ケーブルのケーシング側の、上記永久磁石の行程領域部分に、該永久磁石が近接するとスイッチがＯＮになる近接センサーを固着することによって、前記ステアリング位置検知センサーが構成されていると、好ましい実施形態となる。
【００１７】
また、上記小型滑走艇において、上記永久磁石が、ドーナツ状の形態をしており、ドーナツ状の中央の貫通穴に、前記操舵用ケーブルのロッドが貫通するよう該ロッド側に固着されていると、永久磁石のロッド側への取付が簡単で且つ位置変更が容易な構成を簡単に実現できる構造となる。
【００１８】
【発明の実施の形態】
以下、本発明の実施形態にかかるジェット推進型滑走艇およびそれに最適な船速検知装置について、小型滑走艇を例に挙げて、図面を参照しながら、具体的に説明する。
【００１９】
図１は本第１の発明の実施形態にかかるジェット推進型滑走艇である小型滑走艇のハンドルのサブアッセンブリユニットの外観を示す斜視図、図２は同じく図１のＩＩ−ＩＩ矢視縦断面図、図８は図１，図２に示すハンドルのサブアッセンブリユニットを具備した小型滑走艇の全体の概略の構成を示す側面図、図８は図１に示すハンドルのサブアッセンブリユニットを具備した小型滑走艇の一部断面した側面図、図９は図８に示す小型滑走艇の平面図である。
【００２０】
図８，図９において、Ａは船体で、この船体Ａは、ハルＨとその上方を覆うデッキＤから構成され、これらハルＨとデッキＤを全周で接続する接続ラインはガンネルラインＧと呼ばれ、この実施例では、このガンネルラインＧは、この小型滑走艇の喫水線Ｌより上方に位置している。
【００２１】
そして、上記デッキＤの中央よりやや後部には、図９に図示するように、船体Ａの上面に長手方向に延びる平面視において略長方形の開口部１６が形成され、図８，図９に図示するように、この開口部１６上方に騎乗用のシートＳが配置されている。
【００２２】
また、エンジンＥは、上記シートＳ下方のハルＨとデッキＤに囲まれた横断面形状が「凸」状の空間２０内に配置される。
このエンジンＥは、多気筒（この実施例では３気筒）のエンジンＥで、図８に図示するように、クランクシャフト１０ｂが船体Ａの長手方向に沿うような向きで搭載されており、このクランクシャフト１０ｂの出力端は、プロペラ軸１５を介して、インペラ２１が取着されているウォータージェットポンプＰのポンプ軸側に、一体的に回転可能に連結されている。そして、このインペラ２１は、その外周方が、ポンプケーシング２１Ｃで覆われ、小型滑走艇の底面に設けられた吸水口１７から取り入れた水を吸水通路を介して取り込んで、ウォータージェットポンプＰで加圧・加速して、通水断面積が後方にゆくに従って小さくなったポンプノズル（噴出部）２１Ｒを通って、後端の噴射口２１Ｋから吐出して、推進力を得るよう構成されている。なお、図８において、２１Ｖは整流するための静翼である。
【００２３】
また、図８，図９おいて、１０はステアリング操作手段である操舵用のハンドル本体で、このハンドル本体１０を左右に操作することによって、操舵用ケーブル６２を介して、上記ポンプノズル２１Ｒ後方のステアリングノズル１８を左右に揺動させて、ウォータージェットポンプＰの稼働時に、艇を所望の方向に操舵できるよう構成されている。
【００２４】
また、図８に図示するように、上記ステアリングノズル１８の上後方には、水平に配置された揺動軸１９ａを中心に下方に揺動可能に、ボウル形状のリバース用のデフレクター１９が配置され、このデフレクター１９をステアリングノズル１８後方の下方位置へ揺動動作させることによって、ステアリングノズル１８から後方に吐出される水を前方に転向させて、後進できるよう構成されている。
【００２５】
また、図８，図９において、１２は後部デッキで、この後部デッキ１２には、開閉式のハッチカバー２９が設けられ、ハッチカバー２９の下方に小容量の収納ボックス（図示せず）が形成されている。また、図８あるいは図９において、２３は前部ハッチカバーで、このハッチカバー２３の下方には備品等を収納するボックス（図示せず）が設けられている。また、この前部ハッチカバー２３の上方には、別のハッチカバー２５が配置されて、二層式のハッチカバーが形成され、上記ハッチカバー２５には、後端面に設けられた開口（図示せず）からその内部にライフジャケット等を収納することができるようになっている。
【００２６】
ところで、本発明の実施例にかかる小型滑走艇では、図８，図９に図示するハンドル本体１０を含むユニット（ハンドルのサブアッセンブリユニットという）は、図１あるいは図２に図示するようなサブアッセンブリユニットＵｎとして、予めサブアッセンブリされて後に、艇側に組付けがおこなわれるよう構成されている。また、その際、後述するステアリング位置検知センサーＳｐも、ハンドルのサブアッセンブリユニットＵｎの構成要素として、該ユニットＵｎにサブアッセンブリされる。以下、ハンドルのサブアッセンブリユニットＵｎについて説明する。
図１に図示するように、ハンドルのサブアッセンブリユニットＵｎは、回転軸１と、該回転軸１を小型滑走艇に取着する前に予め定められた相対的位置関係に回転自在に保持することができるベース部材２、およびステアリング位置検知センサーＳｐとを有する。
上記ベース部材２には、上記回転軸１を左右に所定角度（この実施例では左右に略２０度）だけ回転可能に拘束するための、上方に突出したストッパー部２ａが中心の両側に対象的に形成されるとともに、上記回転軸１側には、外径方に突出して上記ストッパー部２ａに当接する当接部１ａ（図１参照）が両側部に形成されている。また、このベース部材２の四隅には、艇のデッキに取着するための取付穴２ｊが形成されている。
そして、上記回転軸１の上端部には、図１に二点鎖線で示すように、上記ハンドル本体１０が該回転軸１と一体に回転できるよう取着される。
また、上記回転軸１およびベース部材２ともに、本実施形態の場合には、金属製で、該回転軸１は、図２に図示するように、軽量化のため中空軸に形成されている。
そして、この回転軸１の長手方向（図２において上下方向）の中央部１Ｍには、上側が太径に下側が細径になった段部１Ｄが形成され、この段部１Ｄの細径になっている部分は、後述するベース部材２の貫通穴２Ａに回転自在に挿着できるよう、該貫通穴２Ａの穴径よりやや小径に構成されている。さらに、この回転軸１の上記段部１Ｄの下方位置の外周面には、フランジ部材５を螺着するためのおねじ１ｇが螺設されている。
また、上記ベース部材２も、軽量化のために、断面図である図２あるいは裏面図（底面図）である図６に図示するように、中央の貫通穴２Ａの外周壁２ｃおよび外周縁２ｄ、該外周壁２ｃから外周縁２ｄに向かって放射状に延設されたリブ２ｂを残して、内壁側の肉厚部分を取り除いたような形態を有する。
そして、上記ベース部材２の裏面の且つ前部の、相互に離間したリブ２ｂ1 には、図６（ａ）に図示するように、近接スイッチ取着用のねじ穴２ｆが、それぞれ形成されている。そして、このねじ穴２ｆには、図４に図示するように、電線５０の引出し部分を除いて樹脂で包まれた防水構造になりステアリング位置検知センサーＳｐ（図２参照）の一部を構成する近接スイッチ（近接センサー）４がねじ止めされる。また、この近接スイッチ４は、図２に図示するように、該近接スイッチ４の前端中央部位でも、リブ２ｂの別の部位の側面にねじ５５によってねじ止めされ、該ベース部材２に対して、強固に一体状になるよう取着されている。
一方、図２，図３に図示するように、上記近接スイッチ４とともに上記ステアリング位置検知センサーＳｐを構成する永久磁石６は、上記フランジ部材４０の下端に一体的に付設された取付金具７上に、上記近接スイッチ４と間に空間Ｓｃを隔てて上下に対峙するよう取着されている。具体的には、平面視において、上記回転軸１が回転したときに、該永久磁石６が描く回転軌跡上に、上記近接スイッチ４が位置するような配置となっている。上記取付金具７は、図５に図示するように、リング状の基部７ａの一部から外周方へ向けて三角形状に突設したような形状をなし、この突設した部位７ｂに、図２，図３に図示するように、上記永久磁石６がピン６ａによる位置決めとボルト５２（図３参照）によって、所定位置に、取着されている。
また、この実施形態の場合には、図２に図示するように、上記回転軸１の段部１Ｄとベース部材２の貫通穴２Ａとの間には、樹脂製のスリーブ８が介装されている。また、上記ベース部材２の貫通穴２Ａ縁部の下面と上記フランジ部材５との間には、樹脂製のリング部材９が介装されている。
【００２７】
しかして、このように構成された上記ハンドルのサブアッセンブリユニットＵｎは、艇に組付けられる前に、予め、図２に図示するように、塵芥のない空間において組立治具を用いて、正確に位置決めされた状態でサブアッセンブリされる。このサブアッセンブリ作業は、該サブアッセンブリユニットＵｎが容積的に比較的小さく又軽いことから、上述の如く組立治具を利用して、それぞれの部品（構成要素）の相対的な位置を正確に決めた状態で、簡単におこなうことができる。
具体的には、まず、上記ベース部材２の裏面を上方にした状態（図６（ａ）参照）で、近接スイッチ４をねじ止めする（図４参照）。
次に、上記回転軸１の段部１Ｄに、下方側から、上記スリーブ８を挿入し、この状態で、該回転軸１をベース部材２の貫通穴２Ａに挿着する。
そして、上記ベース部材２の貫通穴２Ａから下方に突出している回転軸１のおねじ１ｇ部分に、下方から、上記フランジ部材４０を螺着する。この螺着の際、上記近接スイッチ４から延設されている電気コード５０（図４参照）が邪魔にならないように、フランジ部材４０の外周方に位置せしめる。
また、上記フランジ部材４０の下端面には、上記永久磁石６を固定している取付金具７を、ボルト等によって固定する。なお、永久磁石６は、上記取付金具７をフランジ部材４０に固定する前に、予めねじ止めしておく。
そして、上記回転軸１の上端に、ハンドル本体１０（図２の二点鎖線参照）が、固定金具５１を介して取着される（図１参照）。
以上で、ハンドルのサブアッセンブリユニットＵｎのサブアッセンブリ作業が完了する。
そして、このようにサブアッセンブリされたハンドルのサブアッセンブリユニットＵｎは、サブアッセンブリとして小型滑走艇の船体の組立現場へ搬送され、ここでデッキＤ上面の所定位置に、上記ベース部材２の四隅に形成された取付穴２ｊを介して取着される。
なお、ハンドル本体１０は、上述のように、ハンドルのサブアッセンブリユニットＵｎの一つの構成要素として組付けてもよいが、艇にハンドルのサブアッセンブリユニットＵｎを取着した後に、該サブアッセンブリユニットＵｎに固定金具５１（図１参照）を介して該ハンドル本体１０を取着してもよい。
【００２８】
なお、上記ハンドルのサブアッセンブリユニットＵｎが小型滑走艇のデッキＤに取着された後に、図２に図示する回転軸１に取着金具６０が取着される。そして、この取着金具６０に操舵用ケーブル６２のロッド６２Ａの先端が固定され、該操舵用ケーブル６２のロッド６２Ａの後端は、艇の後部に配置されるステアリングノズル１８（図８参照）に取着される。
【００２９】
上述のハンドルのサブアッセンブリユニットＵｎによれば、ステアリング位置検知センサーＳｐを構成する近接スイッチ４と永久磁石６との正確な配置状態とを、所望の性能を奏するよう容易に且つ効率的に組立てることができる。
【００３０】
また、上述のように、ベース部材２の裏面側はデッキＤとハルＨで覆われた空間に位置し、このベース部材２の裏面にステアリング位置検知センサーＳｐが配置されることになるため、水煙の環境雰囲気で使用される小型滑走艇において、電気絶縁上好ましい構成となる。
【００３１】
次に、本第２の発明にかかる実施形態、つまり、ステアリング位置検知センサーを上記操舵用ケーブル６２にサブアッセンブリユニットして設けた実施形態について説明する。即ち、
図２に図示する操舵用ケーブル６２の先端部分を、図１０に図示するように、構成する。つまり、上記操舵用ケーブル６２のロッド６２Ａ先端におねじ部６２ｃを形成するとともに、上記ロッド６２Ａ先端に一体に取着されるアイレット金具部分６２ａに、上記オネジ部６２ｃが螺合するめねじを有する取着穴６２ｂを設ける。
そして、上記ロッド６２Ａ先端にアイレット金具部分６２ａを螺着する前に、該ロッド６２Ａ先端部に永久磁石１０６を取着する。この取着は、ドーナッツ状の永久磁石１０６の中央の貫通穴部分に上記ロッド６２Ａを貫通させた状態で、該永久磁石１０６を両側から、ロッド６２Ａ側のおねじに螺合するナット８０で、固定する。その後、上記アイレット金具部分６２ａを螺着する。
一方、この操舵用ケーブル６２の先端部分のケーシング側に、つまり、上記永久磁石１０６が配設している外周側に、先端方が開口した円筒状の近接スイッチ取着用のカバー９０を配設し、このカバー９０の、上記永久磁石１０６の行程領域部分（図１０の「Ｔｂ」参照）に、近接スイッチ（近接センサー）１０４を配設する。この実施形態の場合には、右側への操舵と左側への操舵状態を検出するべく、ハンドル本体１０を所定角度回動させた際に上記ロッド６２Ａ側の永久磁石１０６が位置することになる、２箇所に配設されている。
そして、上記近接スイッチ１０４からは、小型滑走艇の制御装置側に接続されるための電線１０４Ａが延設されている。この実施例では、図１１に図示するように、上記カバー９０は、操舵用ケーブル６２に対して、該ケーブル６２の長手方向に移動自在に構成し、所望位置でボルト８２によって固定するように構成している。このようにケーシング側も移動自在に固定すると、永久磁石１０６と近接スイッチ１０４の相対的位置を調整するに好ましい構成となる。
【００３２】
そして、このように構成されたステアリング位置検知センサーＳｐは、操舵用ケーブル６２の先端部分に、小型滑走艇に装着する前に、該操舵用ケーブル６２と一体にサブアッセンブリされる。
【００３３】
そして、ステアリング位置検知センサーＳｐが一体にサブアッセンブリされた操舵用ケーブル６２は、艇に組付けられる前に、予め、塵芥のない空間において組立治具を用いて、正確に位置決めされた状態でサブアッセンブリすることができる。このサブアッセンブリ作業は、該サブアッセンブリユニットＵｎが容積的に比較的小さく又軽いことから、上述の如く組立治具を利用して、それぞれの部品（構成要素）の相対的な位置を正確に決めた状態で、簡単におこなうことができる。
しかる後に、上記ステアリング位置検知センサーＳｐを一体にサブアッセンブリした操舵用ケーブル６２は、サブアッセンブリユニットとして小型滑走艇の船体の組立現場へ搬送され、ここで小型滑走艇に該操舵用ケーブル６２が配設される際に、該操舵用ケーブル６２の先端が、図２に図示するハンドル本体１０の回転軸１に連結され、また、該操舵用ケーブル６２の後端が、小型滑走艇後端部のステアリングノズル１８（図８参照）に連結される。
【００３４】
なお、上記図１０、図１１に図示する実施形態では、近接スイッチ１０４を上記操舵用ケーブル６２とは別体になったカバー９０に配設しているが、永久磁石をロッド内に埋設し、操舵用ケーブル６２のケーシング６２Ｂ側に直接配置することもできることは言うまでもない。そして、かかる実施形態の場合には、上記実施形態に比べてさらにコンパクトにすることができる。
【００３５】
また、このように操舵用ケーブル６２にステアリング位置検知センサーＳｐを一体に取着してサブアッセンブリユニットとすると、このステアリング位置検知センサーＳｐは、ハルとデッキで囲まれた空間内に配置されることになるため、上記図１〜図７に図示する実施形態の場合と同様に、水煙の環境雰囲気で使用される小型滑走艇において、電気絶縁上好ましい構成となる。
【００３６】
【発明の効果】
本発明によれば、ステアリング位置検知センサーを構成する近接スイッチと永久磁石とを、所望の性能を奏するような正確な配置状態に、容易に且つ効率的に良好な雰囲気中で予め組立てることができる。
【図面の簡単な説明】
【図１】  本発明の実施形態にかかるジェット推進型滑走艇である小型滑走艇のハンドルのサブアッセンブリユニットの外観を示す斜視図である。
【図２】  図１に示す小型滑走艇のハンドルのサブアッセンブリユニットの構成を示す図１のＩＩ−ＩＩ矢視縦断面図（幅方向の中心線で断面した断面図）である。
【図３】  図２示すステアリング位置検知センサー部分の部分拡大断面図である。
【図４】  （ａ）はハンドルのサブアッセンブリユニットの要部の一つを形成するベース部材に、近接スイッチを取着した状態を示す該ベース部材の裏面図である。
【図５】  （ａ）はベース部材に回転軸を取着し、この回転軸に永久磁石を配置した取付金具を取着した状態を示す裏面 (底面) 図、（ｂ）は（ａ）のＶb-Ｖb 矢視断面図である。
【図６】  （ａ）はハンドルのサブアッセンブリユニットの要部の一つを構成するベース部材の裏面 (底面) 図、（ｂ）は（ａ）の VIb-VIb矢視断面図である。
【図７】  図１，図２に示す回転軸の構成を示す該回転軸の縦断面図である。
【図８】  図１，図２に示すハンドルのサブアッセンブリユニットを具備した小型滑走艇の全体の概略の構成を示す側面図である。
【図９】  図８に示す小型滑走艇の平面図である。
【図１０】  操舵用ケーブルにステアリング位置検知センサーを一体にサブアッセンブリユニットした場合の実施形態を示す、該操舵用ケーブルの先端部分の一部断面した側面図である。
【図１１】  図１０に示すサブアッセンブリユニットの構成を示す斜視図である。
【符号の説明】
Ｐ……ウォータージェットポンプ
２１Ｋ……噴射口
Ｓｐ……ステアリング位置検知センサー
Ｕｎ……サブアッセンブリユニット
【図１】
0004606571.tif 000002
【図２】
0004606571.tif 000003
【図３】
0004606571.tif 000004
【図４】
0004606571.tif 000005
【図５】
0004606571.tif 000006
【図６】
0004606571.tif 000007
【図７】
0004606571.tif 000008
【図８】
0004606571.tif 000009
【図９】
0004606571.tif 000010
【図１０】
0004606571.tif 000011
【図１１】
0004606571.tif 000012